(57)【要約】【課題】  エンジンに供給される空気量を調整する空気量調整装置において、駆動部とスロットル部を別体から構成することによって部品の共通化を容易にするとともにスロットルバルブの回転軸を芯ブレが生じることなく正確に駆動部に接続することを可能とする。【解決手段】  駆動部２と、スロットル部３と、を別体として構成し、前記駆動部２と前記スロットル部３とを一体に接続してモータ５０によりスロットルバルブ７０を開閉可能とした、エンジンへ供給される空気流量を調整する電動式空気量調整装置１であって、前記スロットルバルブ７０の回転軸７１に取り付けられる軸受８０の外輪８１を前記駆動部２に形成された凹部２２および前記スロットル部３に形成された凹部６２の双方に挿入されるインローとして用い、前記駆動部２と前記スロットル部３との間で前記回転軸７１の同心を得る。【選択図】図６
2019085902.tif 000002
【特許請求の範囲】
【請求項１】
モータを有する駆動部と、スロットルバルブを有するスロットル部と、を別体として構成し、
前記駆動部と前記スロットル部とを一体に接続して前記モータにより前記スロットルバルブを開閉可能とした、エンジンへ供給される空気流量を調整する電動式空気量調整装置であって、
前記スロットルバルブの回転軸に取り付けられる軸受の外輪を前記駆動部に形成された凹部および前記スロットル部に形成された凹部の双方に挿入されるインローとして用い、前記駆動部と前記スロットル部との間で前記回転軸の同心を得ることを特徴とする電動式空気量調整装置。
【請求項２】
前記軸受が球軸受であることを特徴とする請求項１記載の電動式空気量調整装置。
【請求項３】
前記駆動部は下面の回転軸挿入孔を除いてシール材により前記スロットル部と密接されており、前記回転軸挿入孔は前記駆動部の前記凹部に形成された呼吸溝、前記スロットル部の前記凹部に形成された呼吸溝および前記スロットル部における前記スロットルバルブの上流位置に形成された呼吸孔と連通することを特徴とする請求項１または２記載の電動式空気量調整装置。
【発明の詳細な説明】
【技術分野】
【０００１】
本発明は、エンジンに供給される空気量を調整する空気量調整装置に関し、特に、別体として構成した駆動部とスロットル部とを一体に接続し前記モータにより前記スロットルバルブを開閉可能とした電動式空気量調整装置に関する。
【背景技術】
【０００２】
従来、２輪車をはじめ汎用エンジンは排気量や気筒数などの違いからスロットルボディの取り付け方法が異なり、エンジンの数とほぼ同等のスロットルボディが存在していた。
【０００３】
一方、近年は排出ガスの規制強化対策や利便性の向上の要求から、スロットルバルブ開度を電子的に制御しエンジン回転速度をより細かく制御する方策がとられており、このスロットルバルブを制御する手段として、モータおよびギア類を有する駆動部と、スロットルバルブを有するスロットル部とが別体で構成され、これらを組み合わせることで精密な角度制御を可能として供給する空気量を調整してエンジン制御を行うことが例えば特表２００４−５１０９１１号公報（特許文献１）などに提示されているように知られている。
【０００４】
この特許文献１記載の発明は、図８に示すように駆動部１ａとスロットル部２ａとを別体で製造した後に一体に接続することで、駆動部を多種の製品間で共用化できるとともにスロットル部の構造も簡素化できるため、設計・製造コストを低廉に出来る利点がある。
【０００５】
しかしながら、このように別体で製造した駆動部とスロットル部とを組み合わせる方式の場合、スロットルバルブの回転軸を駆動部に差し込んで連結する際に芯ブレを生じるおそれがあった。
【０００６】
また、自動車用においては、これらの構成部品は雨水や砂塵から保護すべく、密閉式のカバーで覆う必要があるが、完全密閉の場合、温度変化により内圧が変化し密閉性が甘いと雨水等を吸収することがあった。
【０００７】
一方で、芝刈り機など野外の非舗装路で用いられる汎用エンジンは、砂塵環境で用いられること、また、高圧洗浄機による洗車が高頻度で生じることが予想され、自動車用途に比べ、カバー内部の呼吸孔からの雨水や砂塵が侵入する確率が高まることが考えられるため、防水・防塵性能が特に強く求められていた。
【先行技術文献】
【特許文献】
【０００８】
【特許文献１】特表２００４−５１０９１１号公報
【発明の概要】
【発明が解決しようとする課題】
【０００９】
本発明は、エンジンに供給される空気量を調整する空気量調整装置において、駆動部とスロットル部を別体から構成することによって部品の共通化を容易にするとともにスロットルバルブの回転軸を芯ブレが生じることなく正確に駆動部に接続することを可能とし、更に、雨水や砂塵が駆動部に浸入することを防止した電動式空気量調整装置を提供することを課題とする。
【課題を解決するための手段】
【００１０】
前記課題を解決するためになされた本発明は、モータを有する駆動部と、スロットルバルブを有するスロットル部と、を別体として構成し、前記駆動部と前記スロットル部とを一体に接続して前記モータにより前記スロットルバルブを開閉可能とした、エンジンへ供給される空気流量を調整する電動式空気量調整装置であって、前記スロットルバルブの回転軸に取り付けられる軸受の外輪を前記駆動部に形成された凹部および前記スロットル部に形成された凹部の双方に挿入されるインローとして用い、前記駆動部と前記スロットル部との間で前記回転軸の同心を得ることを特徴とする。
【００１１】
また、前記軸受が球軸受である場合、製作精度が高く、かつ入手の容易な軸受を使用できるため、精度面およびコスト面の両方において望ましい。
【００１２】
更に、前記駆動部は下面の回転軸挿入孔を除いてシール材により前記スロットル部と密接されており、前記回転軸挿入孔は前記駆動部の前記凹部に形成された呼吸溝、前記スロットル部の前記凹部に形成された呼吸溝および前記スロットル部における前記スロットルバルブの上流位置に形成された呼吸孔と連通する場合、呼吸溝および呼吸孔によって駆動部内が大気圧とほぼ等しい気圧に保たれるため、例えば温度変化による内圧の変化を生じることなく防水・防塵効果を発揮することができる。
【発明の効果】
【００１３】
本発明の電動式空気量調整装置によれば、軸受の外輪を駆動部とスロットル部の双方の凹部に挿入されるインローとして用いることで、駆動部とスロットル部の間で確実な回転軸の位置合わせをして、芯ブレの発生を防止することを可能とした。
【００１４】
更に、シールされた駆動部内に通じる呼吸溝および呼吸孔を設けたことでスロットルバルブ上流のエアクリーナとの間のクリーンかつほぼ大気圧の環境と連通していることで駆動部内がクリーンな状態かつほぼ大気圧に保たれるため、例えば温度変化による内圧の変化を生じることがなく、駆動部内に雨水や砂塵が浸入することを防止することができるとともに、呼吸溝および呼吸孔を予め内部に形成したことで、余分な配管をする必要もないことから部品数の削減及び省コスト化に貢献できる。
【図面の簡単な説明】
【００１５】
【図１】本発明の電動式空気量調整装置の好ましい実施の形態を示す斜視図。
【図２】図１に示した実施の形態における駆動部とスロットル部を分離した状態を示す分解斜視図。
【図３】図１に示した実施の形態における駆動部を示す（ａ）下面側斜視図、および（ｂ）部分拡大図。
【図４】図１に示した実施の形態におけるスロットル部を示す（ａ）上面側斜視図、および（ｂ）部分拡大図。
【図５】図１に示した実施の形態を示す正面図。
【図６】図５における内部機構を一部省略したＡ−Ａ線断面図。
【図７】図６の部分拡大図。
【図８】従来例を示す図。
【発明を実施するための形態】
【００１６】
以下に、本発明の好ましい実施の形態について図面を参照して詳細に説明する。
【００１７】
図１は本発明の電動式空気量調整装置の好ましい実施の形態を示す図であり、電動式空気量調整装置１は、ブラケット２０およびカバー３０をクリップ４０により結合してなるハウジング１０内にモータ５０とギア（図示せず）とからなる減速機構および前記減速機構に接続された回転軸保持部材５１を収装した駆動部２と、スロットルボディ６０内に回転軸７１および弁体７２とからなるスロットルバルブ７０を回転自在に収装したスロットル部３と、を一体に組み立ててなるものである。
【００１８】
尚、符号９１はスロットルバルブ７０の開度を検知して出力するセンサー部、符号９２は燃料供給部であるが、本明細書においては説明を省略する。
【００１９】
図２は本発明の好ましい実施の形態における駆動部２とスロットル部３を分離した状態を示す分解斜視図である。
【００２０】
駆動部２のハウジング１０を構成するブラケット２０は、下面に回転軸挿入孔２１および前記回転軸挿入孔２１と同心でより大径の凹部２２を有し、上側凹部２２の外周の一部に呼吸溝２３が形成されている（図３参照）。
【００２１】
スロットル部３のスロットルボディ６０は、上面に回転軸挿入孔６１および前記回転軸挿入孔６１と同心でより大径の凹部６２を有し、凹部６２の外周の一部に呼吸溝６３が形成されている（図４参照）。
【００２２】
また、スロットルボディ６０を貫通して形成された気体流路６４におけるスロットルバルブ７０の上流位置に、呼吸溝６３と連通して形成された呼吸孔６５が設けられている。
【００２３】
駆動部２およびスロットル部３は、スロットルボディ６０の凹部６２より突出したスロットルバルブ７０の回転軸７１に軸受８０を取り付け、ハウジング１０内に収装した回転軸保持部材２１へ回転軸５１を差し込んで接続し、スロットルボディ６０の通孔６６，６６を介してブラケット２０のネジ穴２４，２４へ螺着される固定ネジ４，４により駆動部２およびスロットル部３を一体に固定するものである。
【００２４】
図６は図５に示したＡ−Ａ線に沿って内部機構を一部省略した断面図、図７は図６の部分拡大図である。
【００２５】
この図６および図７に示すように、スロットルバルブ７０の回転軸７１に取り付けられた軸受８０の外輪８１は、スロットルボディ６０に形成された凹部６２およびブラケット２０に形成された凹部２２の双方に挿入されるインローとしても用いられている。
【００２６】
そうすると、駆動部２およびスロットル部３の間で回転軸７１の位置合わせを可能として回転軸７１の同心を確保することができ、芯ブレの発生を防止できる。
【００２７】
尚、本実施の形態において、軸受８０は鋼球を用いた球軸受を使用することで、外輪８１および内輪８２がともに高精度で且つ耐久性も優れた軸受を容易に入手可能となるため望ましい。
【００２８】
更に、ブラケット２０に形成された回転軸挿入孔２１、ブラケット２０の凹部２２に形成された呼吸溝２３、スロットルボディ６０の凹部６２に形成された呼吸溝６３およびスロットルボディ６０の気体流路６４に面して形成された呼吸孔６５が互いに連通してシール部材２５，３１によりシールされた駆動部２内と気体流路６４とを連通させている。
【００２９】
このように気体流路６４と駆動部２内とを連通させることで、スロットルバルブ７０上流のエアクリーナ（図示せず）との間のクリーンかつほぼ大気圧の環境を通じて駆動部２内をクリーンな状態かつほぼ大気圧に保つことができる。
【００３０】
駆動部２内をクリーンな状態かつほぼ大気圧に保つことで、例えば温度変化による内圧の変化を生じることがなく、駆動部２内に雨水や砂塵が吸い込まれて浸入することを防止することができるとともに、呼吸溝２３，６３および呼吸孔６５を予め内部に形成したことで、余分な配管をする必要もない。
【００３１】
以上のように、本発明によれば、軸受の外輪を駆動部とスロットル部の双方の凹部に挿入されるインローとして用いることで、駆動部とスロットル部の間で確実な回転軸の位置合わせをして、芯ブレの発生を防止することを可能とした。
【００３２】
更に、シールされた駆動部内に通じる呼吸溝および呼吸孔を設けたことでスロットルバルブ上流のエアクリーナとの間のクリーンかつほぼ大気圧の環境と連通していることで駆動部内がクリーンな状態かつほぼ大気圧に保たれるため、例えば温度変化による内圧の変化を生じることがなく、駆動部内に雨水や砂塵が浸入することを防止することができるとともに、呼吸溝および呼吸孔を予め内部に形成したことで、余分な配管をする必要もないことから部品数の削減及び省コスト化に貢献できる。
【符号の説明】
【００３３】
１  電動式空気量調整装置、２  駆動部、３  スロットル部、４  固定ネジ、８  センサー部、９  燃料供給部、１０  ハウジング、２０  ブラケット、２１  回転軸挿入孔、２２  凹部、２３  呼吸溝、２４  ネジ穴、２５  シール部材、３０  カバー、３１  シール部材、４０  クリップ、５０  モータ、５１  回転軸保持部材、６０  スロットルボディ、６１  回転軸挿入孔、６２  凹部、６３  呼吸溝、６４  気体流路、６５  呼吸孔、７０  スロットルバルブ、７１  回転軸、７２  弁体、８０  軸受、８１  外輪、８２  内輪
【図１】
2019085902.tif 000003
【図２】
2019085902.tif 000004
【図３】
2019085902.tif 000005
【図４】
2019085902.tif 000006
【図５】
2019085902.tif 000007
【図６】
2019085902.tif 000008
【図７】
2019085902.tif 000009
【図８】
2019085902.tif 000010